(57)【要約】【課題】子画面に表示した番組のサブ情報は、親画面に表示すると出所が不明確になり、子画面に下に大きく表示すると親画面の表示面積を必要事情に遮り、見にくくなる。【解決手段】多画面テレビジョン受信機において、子画面内に、表示した番組がサブ情報を有している際は、サブ情報を有しているという情報を常に示すことで、親画面を必要以上に遮ることなく、またユーザーが子画面のサブ情報を見たいときはいつでも親画面上に表示させる。【選択図】図６
2005341106.tif 000002
【特許請求の範囲】
【請求項１】
複数の番組を同時に受信できるテレビジョン受信機であって、受信した番組を表示する表示手段と、前記表示手段上に前記受信した番組のうちの１つを第１の番組として画面表示する第１の画面生成手段と前記表示手段上に前記第１の番組とは異なる第２の番組と第２の番組に関るサブ情報の存在を示す情報とを画面表示する第２の画面生成手段とを有するテレビジョン受信機。
【請求項２】
ユーザーの指示に基づいて前記第１の番組に関するサブ情報または前記第２の番組に関するサブ情報または両方を前記表示手段上に表示するサブ情報画面生成手段をさらに有する請求項１記載のテレビジョン受信機。
【請求項３】
前記表示手段上に前記第１および第２の番組とは異なる第３の番組と第３の番組に関るサブ情報の存在を示す情報とを画面表示する第３の画面生成手段と、前記第１乃至３の画面生成手段による画面の１つが選択されたことを示す選択画面明示手段とをさらに有する請求項１記載のテレビジョン受信機。
【発明の詳細な説明】
【技術分野】
【０００１】
本発明は主にいくつかのアナログおよびデジタル番組と番組に関わるサブ情報を同時に、テレビジョンの表示手段（以下「テレビジョンスクリーン」という。）上に処理および表示することのできるアナログおよびデジタルテレビ受信機に関するものである。ここでサブ情報は表示される番組に関する情報であって、文字多重データ（Ｃｌｏｓｅｄ  Ｃａｐｔｉｏｎ。以下ＣＣと記す）を含むものである。一般的には、放送波に重畳されて送られるが、インターネットなど他の媒体を介して取得してもよい。特に本願はピクチャーインピクチャー（以下ＰＩＰ）、若しくはピクチャーアウトピクチャー（以下ＰＯＰと記す。）を表示する受信機に関するものである。そして、子画面に示される番組に関するサブ情報を表示することのできる受信機に関するものである。
【背景技術】
【０００２】
テレビジョン受信機の多くはＣＣのようなサブ情報を表示する機能だけでなく、多画面表示機能を備えている。多画面表示の主たる目的は、ユーザーが親画面（若しくは「主画面」ともいうが、本明細書では「親画面」で統一する）で主たる番組を見ている間でもＰＩＰのような子画面（「副画面」ともいうが、本明細書では「子画面」で統一する）で、他のチャンネルの内容をモニターできるようにするためである。
【０００３】
すなわちユーザーはいつでも、ＩＲリモコンを使って、単に親画面と子画面の内容を切り替えることができる。
【０００４】
音声に関しては、たとえ多画面表示が実装されていても、一般的には親画面の音声出力だけが可能である。
【０００５】
子画面についてはＣＣ等のようにシーンに応じたサブ情報を表示することによって、親画面に表示された番組の音声出力を止めることなく、ユーザーは子画面の音声内容をも知ることができる。
【０００６】
いくつかのテレビジョン受信機、例えばシャープの３１Ｈ−Ｘ１２００や２５Ｈ−Ｘ１２００のようなテレビジョンは、図９に示すようにＰＩＰ画面の外側に、ＰＩＰ画面に関するＣＣを表示することができる。
【０００７】
図９はテレビジョンスクリーンを示している。テレビジョンスクリーン上には、親画面３０１と、子画面３０２と、子画面に関るサブ情報３０３が表示されている。ここで、子画面はＰＩＰであり、サブ情報３０３は、ＣＣである。
【０００８】
図１０は、ＵＳ６０８８０６４号公報の特許に提案されたサブ情報の表示方法を示す。図１０はテレビジョンスクリーンを示している。テレビジョンスクリーンは、親画面４０１、子画面４０２、子画面のサブ情報であるＣＣ４０３と境界線４０４で構成されている。
【特許文献１】米国特許第６０８８０６４号明細書
【発明の開示】
【発明が解決しようとする課題】
【０００９】
しかしながら、図９においては、子画面のサブ情報は親画面のサブ情報と同じ見え方をしている。すなわち、親画面の下方に表示されている。このような子画面のサブ情報の表示の仕方はユーザーを混乱させることになる。なぜなら、テレビジョンスクリーンの下方のＣＣは、親画面に表示された番組に関するＣＣか、子画面に表示された番組に関るＣＣか区別がつかない。
【００１０】
もし複数の子画面が同時にテレビジョンスクリーン上にあると、現在テレビジョンスクリーン上に表示されたサブ情報は、どの画面に関するものであるか、ユーザーは区別できず、ますます混乱する。
【００１１】
また、子画面に表示された番組は、サブ情報を有しているか否かについての表示がないので、ユーザーは子画面もしくは親画面のいずれかの画面を選択してサブ情報を表示する指示をしなければならない。
【００１２】
一方図１０に示された表示方法は、子画面に関るサブ情報が子画面の近傍に表示されるため、上記のようなユーザーの混乱という問題点を解決するものである。
【００１３】
しかし、この方法では、テレビジョンスクリーンで子画面が占める領域が大きくなり、必要以上に親画面を見にくくするという課題が残る。
【課題を解決するための手段】
【００１４】
本発明は上記の問題を解決するために、子画面に表示する番組がサブ情報を有する場合は、子画面の中にサブ情報を表示する。
【００１５】
さらに、本願の多画面テレビジョン受信機は、子画面に表示する番組のサブ情報を親画面上若しくはテレビジョンスクリーンの子画面以外の領域に表示する手段を提供する。
【００１６】
また、複数の子画面を有する場合、ユーザーは、選択した子画面に関するサブ情報を親画面上に表示させることができる。
【００１７】
また、ユーザーが選択した子画面を他の子画面と区別する手段を提供する。
【発明の効果】
【００１８】
ユーザーは子画面を見ることで、現在子画面に表示されている番組にはサブ情報が存在することが分かる。そして、ユーザーは、子画面に表示する番組のサブ情報を親画面上やテレビジョンスクリーン上の見やすい位置に表示させることで、サブ情報の内容を読みやすくなる。あるいは、テレビジョンスクリーンが十分大きければ、ユーザーは、子画面上のサブ情報を親画面上に表示させなくても読み取ることができる。
【００１９】
さらに、どの子画面を選択しているかを区別できるため、複数の子画面のうち、どの子画面のサブ情報を親画面に表示しているか混乱するという問題を解決する。
【発明を実施するための最良の形態】
【００２０】
初めに本願の多画面テレビジョン受信機が実施された場合の画面表示の様子を例示する。
【００２１】
図６は、本願の多画面テレビジョン受信機１０３（図１参照）のテレビジョンスクリーン上に表示された画面５１０の例を示す。
【００２２】
図６は１つの子画面を持つＰＩＰ表示を示している。
【００２３】
親画面５０１は、１つの子画面５０２を有する。ここで、親画面に表示する番組を主番組、子画面に表示する番組を副番組と呼ぶ。主番組がサブ情報を有する場合は、多画面テレビジョン受信機１０３は、主番組のサブ情報５０６を親画面５０１上に表示することができる。
【００２４】
子画面５０２は、副番組の内容を表示する。副番組がサブ情報を有する場合は、サブ情報があることを示す情報を子画面５０２上に常に表示する。図６では、この情報はＣＣの内容そのものである。しかし、この情報はＣＣの内容に限定されるものではなく、ＣＣがあることを示すシンボルや、その他の情報であってもよい。さらに、子画面の形状や境界線の太さ、これら（子画面と境界線をさす）の色合いの変化によって示してもよい。
【００２５】
また、本願の多画面テレビジョン受信機１０３は、副番組のサブ情報を親画面上に表示する（５０５はこれを示す）こともできる。
【００２６】
図５は、副番組のサブ情報だけを親画面上に表示させる場合を示す。
【００２７】
また、図４は親番組のサブ情報を親画面上に表示させない場合、若しくは親番組にはＣＣの情報がない場合を示す。
【００２８】
副番組がサブ情報を有しない場合は、子画面上にサブ情報があることを示す情報５０３は表示されない。
【００２９】
次に、上記画面を実現できる本願の多画面テレビジョン受信機について、図１の構成図を用いて説明を行う。
【００３０】
図１は本願の第１の実施例の多画面テレビジョン受信機１００の構成を示す。放送波は受信手段で受信される。受信手段（図１中でＡ）は、アンテナや有線などがありえる。メインチューナー１１１は、受信された放送波に同調し、所望のチャンネルを選局する。メインチューナー１１１は、選局されたチャンネルの信号を、放送波がデジタル放送の場合はフロントエンド１１２へ、アナログ放送の場合はＮＴＳＣデコーダー１１６へ送る。
【００３１】
フロントエンド１１２は、選局されたチャンネルの信号をデータストリームＤｓに復号する。デマックス１１３は、データストリームＤｓ中の映像音声のパケットＡｖｐを抜き取り、ＭＰＥＧデコーダー１１４に送る。また、デマックス１１３はデータストリームＤｓ中のサブ情報Ａｘｆを抜き取り、ＣＰＵ１０２に送る。
【００３２】
ＭＰＥＧデコーダー１１４は、映像音声パケットＡｖｐからデジタル映像信号Ｄｖｓを復号する。
【００３３】
本明細書では、テレビジョンスクリーン（すなわち表示手段）とは、ＣＲＴ（陰極線管）、ＬＣＤ（液晶表示装置）、ＰＤＰ（プラズマ表示装置）やその他の映像表示装置を含む。また、画面とは、テレビジョンスクリーン上で映像を表示する領域を指す。通常は、テレビジョンスクリーン上で表示可能な領域いっぱいに１つの映像を表示する。このような状態で、さらに小さな画面を領域内に設けて、他の映像を表示するとＰＩＰとなる。また、親画面と子画面を別々にテレビジョンスクリーン上に表示させるとＰＯＰとなる。
【００３４】
音声信号は音声再生手段（図示せず）へ送られ、再生される。
【００３５】
メインＤＡＣ（ｄｉｇｉｔａｌ−ａｎａｌｏｇ  ｃｏｎｖｅｒｔｅｒ）１１５は、デジタル映像信号ＤｖｓをフルスクリーンサイズのＲＧＢコンポジットアナログ信号ＭＤｖｓへ変換する。アナログ信号ＭＤｖｓは親画面として表示される。
【００３６】
一方、デマックス１１３で抜き取られたサブ情報ＡｘｆはＣＰＵ１０２へ送られ、ユーザーの指示によって、ＣＰＵ１０２からＯＳＤプロセッサ１３１へ送られる。ＯＳＤプロセッサ１３１は、サブ情報Ａｘｆを文字情報ＣＡｘｆに変換した後、フレームバッファ１３２に書き込む。書き込まれた文字情報ＣＡｘｆは、１フレーム毎にＯＳＤＤＡＣ１３３に送られる。ＯＳＤＤＡＣ１３３は文字情報ＣＡｘｆをフルスクリーンサイズのＲＧＢコンポジットアナログ信号ＭＣＡｘｆへ変換する。アナログ信号ＭＣＡｘｆは親画面のＣＣ表示となる。
【００３７】
親画面の映像信号ＭＤｖｓとＣＣの信号ＭＣＡｘｆは、合成回路１７０で合成され、テレビジョンスクリーン（図１中でＢ）へ送られ、ＣＣの表示のある親画面表示となる。
【００３８】
メインチューナー１１１への入力がアナログ信号であった場合は、選局された信号ＳＳａは、ＮＴＳＣデコーダー１１６へ送られる。ＮＴＳＣデコーダー１１６は、選局された信号ＳＳａを復調し、映像信号ＭＡｖｓとして混合回路１７０へ送る。
【００３９】
音声信号はデジタル放送の場合と同様に音声信号は音声再生手段（図示せず）へ送られる。
【００４０】
一方で、選局された信号ＳＳａにサブ情報が重畳されていた場合は、ＮＴＳＣデコーダー１１６が、ユーザーの指示に基づいて、サブ情報Ａｘｆを分離し、ＣＰＵ１０２に送る。このようなサブ情報Ａｘｆは、垂直帰線期間中にＣＣのデータを重畳した場合などが該当する。
【００４１】
映像信号ＭＡｖｓとサブ情報Ａｘｆが合成回路１７０で合成されるのは、映像信号ＭＤｖｓの場合と同様である。
【００４２】
以上のようにして親画面は構成される。また、主番組のサブ情報は、ユーザーの指示に基づいて親画面上に表示されたり、表示させなくしたりする。表示をさせない場合には、ユーザーの指示によって、ＣＰＵ１０２がＯＳＤプロセッサ１３１にサブ情報Ａｘｆを送らないことで実現できる。
【００４３】
なお、親画面はフルスクリーンサイズとして説明したが、それに限定されるものではなく、親画面はテレビジョンスクリーンの一部分に表示されるようにしてもよい。また、サブ情報Ａｘｆの表示についても、親画面がテレビジョンスクリーンの一部分であれば、テレビジョンスクリーン上で親画面以外の部分に表示させるようにしてもよい。
【００４４】
また、メインＤＡＣ１１５およびＯＳＤＤＡＣ１３３はデジタル信号をアナログ信号に変えて出力し、それを混合回路１７０でさらに合成しているが、混合回路１７０までの信号を全てデジタル信号として処理をしてもよい。
【００４５】
また、サブ情報Ａｘｆの表示に関する制御はＣＰＵ１０２が行うように説明をしたが、ＯＳＤプロセッサ１３１が担ってもよい。
【００４６】
次に子画面と子画面に関るサブ情報の表示について、図１の構成図および図２の動作フローを使って説明を行う。
【００４７】
本願の多画面テレビジョン受信機１００は、メインチューナー１１１と共に、サブチューナー１５１を有している。
【００４８】
ユーザーによって子画面の表示が、ＩＲリモコン（ＩＲ  ｒｅｍｏｔｅ  ｃｏｎｔｒｏｌｌｅｒ）を通じて指示される（Ｓｔｅｐ１０１０）。受信手段（図示せず）で受信された放送波は、サブチューナー１５１で選局される。選局された信号がデジタル放送波の場合は、選局された信号ＳＳｄ２としてフロントエンド１５２へ送られる。フロントエンド１５２は、信号ＳＳｄ２をデータストリームＤＳ２へ復号する。
【００４９】
デマックス１５３は、データストリームＤＳ２から所望の映像音声パケットＡＶｐ２を選び出す。また、デマックス１５３は、データストリームＤＳ２に、サブ情報Ａｘｆ２が存在している場合は、これを抜き出しＣＰＵ１０２へ送る。
【００５０】
ＣＰＵ１０２は、サブ番組の放送波にサブ情報があるか無いかを判断する（Ｓｔｅｐ１０２０）。すなわち、デマックス１５３からサブ情報Ａｘｆ２が送られてくるか否かで判断する。
【００５１】
サブ番組がサブ情報を有している場合は、ＣＰＵ１０２はサブ情報Ａｘｆ２をＯＳＤプロセッサ１３１へ必ず送る。ＯＳＤプロセッサ１３１はサブ情報を文字情報ＣＡｘｆ２へ変換してフレームバッファ１９１へ書き込む（Ｓｔｅｐ１０４０）。
【００５２】
なお、ここで、親画面のＣＣ表示に関るステップ（Ｓｔｅｐ１０３０およびＳｔｅｐ１０３２）の説明を飛ばしたが、後ほど説明する。
【００５３】
一方、デマックス１５３でデータストリームＤＳ２から抜き取られた映像音声パケットＡＶｐ２は、ＭＰＥＧデコーダー１５４によって復号され、デジタル映像信号Ｄｖｓ２として出力される。
【００５４】
そして、フレームバッファ１９１に書き込まれた文字情報ＣＡｘｆ２とデジタル映像信号Ｄｖｓ２とは、フレーム混合器１９２で合成されデジタル映像信号ＤＶｓ２として出力される。このデジタル映像信号ＤＶｓ２は、サブＤＡＣ１５５に入力され、映像信号ＭＤＶｓ２として混合回路１７０に送られる。
【００５５】
混合回路１７０では、親画面の映像信号となるＭＤＶｓと子画面の映像信号となるＭＤＶｓ２を合成して表示手段に送り、ＰＩＰ等の多画面として表示される（Ｓｔｅｐ１０５０）。
【００５６】
このようにして、親画面とサブ情報を有する子画面を表示手段上に表示した状態を示したのが、すでに示した図４である。
【００５７】
Ｓｔｅｐ１０２０からＳｔｅｐ１０５０までのステップは、１フィールド若しくは１フレーム毎に行なわれる。そして、ユーザーによる指示がなければ、繰り返される（Ｓｔｅｐ１０６０のＮの分岐）。
【００５８】
重要なユーザーの指示に、子画面のサブ情報を親画面上に表示させる指示がある。この指示の有無の判定をＳｔｅｐ１０７０で行う。ユーザーからこの指示があった場合は、デマックス１５３で抜き出したサブ情報Ａｘｆ２は、フレームバッファ１９１に書き込まれる（Ｓｔｅｐ１０４０）だけでなく、フレームバッファ１３２にも書き込まれる。
【００５９】
より詳細には、サブ情報Ａｘｆ２は、デマックス１５３からＣＰＵ１０２を通して、ＯＳＤプロセッサ１３１に送られる。この時、ＣＰＵ１０２は、ＯＳＤプロセッサ１３１にサブ情報Ａｘｆ２を親画面上にも表示する旨の指示を行う。
【００６０】
この指示は、フレームバッファ１３２の所定の位置に書き込むことを直接指示してもよい。
【００６１】
ＯＳＤプロセッサ１３１は、サブ情報Ａｘｆ２を文字に置き換え、フレームバッファ１３２とフレームバッファ１９１のそれぞれの所定の位置に書き込む。
【００６２】
このようにしてフレームバッファ１３２に書き込まれたサブ情報Ａｘｆ２は、親画面に関るサブ情報が表示される場合と同様に親画面上に表示される。
【００６３】
このようにすることで、子画面に関るサブ情報Ａｘｆ２は親画面上で、大きく表示させることができ、判読しやすくなる。また、子画面にサブ情報の存在を示すシンボルや、その他のサブ情報存在の表示がある場合に、実際にサブ情報の内容を親画面上で見ることができる。
【００６４】
図２のフロー図では、Ｓｔｅｐ１０８０において、親画面上への表示を指示するフラグが立てられる。そして、Ｓｔｅｐ１０３０および１０３２において、そのフラグの有無に応じて、サブ情報Ａｘｆ２をフレームバッファ１３２に書き込む処理を行う。
【００６５】
すでに示した図５は、親画面上に子画面と子画面に関るサブ情報が表示されている状態を示す。
【００６６】
また、すでに、親画面に関るサブ情報が親画面上に表示されている場合は、子画面に関るサブ情報は、親画面上の別の位置に表示させられることもできる。図６は、親画面上に、子画面と、子画面に関るサブ情報と、親画面に関るサブ情報が表示されている様子を示す。
【００６７】
図１の構成図上では、子画面のサブ情報Ａｘｆ２をフレームバッファ１３２に書き込む際に、ＯＳＤプロセッサ１３１が、親画面に関るサブ情報Ａｘｆとサブ情報Ａｘｆ２の表示位置の調整を行う。図３のフローにおいては、Ｓｔｅｐ１０３２の処理が、この表示位置の調整に相当する。
【００６８】
すなわち、Ｓｔｅｐ１０３２は、子画面のサブ情報Ａｘｆ２しかない場合は、サブ情報Ａｘｆ２を親画面上に表示し、親画面のサブ情報Ａｘｆもある場合は、サブ情報Ａｘｆとサブ情報Ａｘｆ２の両方を表示する処理を含む。
【００６９】
Ｓｔｅｐ１０４０では、ＯＳＤプロセッサ１３１は、サブ情報Ａｘｆ２に一致する文字情報ＣＡｘｆ２へ変換するだけでなく、サブ情報Ａｘｆ２が存在する旨を示すシンボルの記号や文字へ変換し、表示手段上で表示することもできる。また、子画面の表示の仕方（境界線の強調や、色合い）によって、サブ情報Ａｘｆ２の存在を表示してもよい。
【００７０】
図７には、これらの表示のバリエーションの例をいくつか示す。サブ情報Ａｘｆ２の有無に関る表示は、子画面に関るサブ情報Ａｘｆ２が存在することを子画面の表示の仕方でユーザーが認識できればよく、図７の例に限定されるものではない。
【００７１】
図７では、３つの子画面を同時に表示している様子を示す。上記の実施例の説明は、サブチューナーを１つ有する場合について説明を行った。同じサブチューナーを複数個有することで、非常に簡単に子画面を複数表示させることができる。また、デジタル放送の場合は、１つのデータストリームで複数の番組を放送することが可能であり、サブチューナーが１つであっても、子画面を複数個表示させることができる。
【００７２】
子画面６０２は、サブ情報が存在することを示すシンボル「＊」が子画面上に表示されている様子を示す。このようにシンボルは子画面の中央下側だけでなく、画面の右上に表示してもよい。もちろんシンボルは、子画面上であれば、任意の位置に表示してかまわない。
【００７３】
子画面６０３は、子画面の境界線が強調されている様子を示す。ここでは、境界線が太く描かれている。境界線の強調は、色を変えたり、各種の鎖線を用いてもよい。
【００７４】
子画面６０４は、子画面のトーンを変化させている様子を示す。ここでは、画面のトーンが暗くなる様子が示されているが、色合いを変えたりしてもよい。
【００７５】
子画面が複数個あった時は、子画面のサブ情報を親画面若しくは子画面以外の領域に表示するに際して注意しなければならない。すなわち、子画面に表示した番組のうちのいくつかがサブ情報を有する場合が考えられる。この場合ユーザーは、どの子画面に表示した番組に関するサブ情報を親画面もしくは子画面以外の領域で見ているかについて混乱する。
【００７６】
したがって、いづれかの子画面に表示した番組のサブ情報を親画面若しくは子画面以外の領域に表示した場合は、どの子画面が選択されているかを区別できるような手段が必要となる。
【００７７】
図８は、選択された子画面を区別する方法についての例を示す。テレビジョンスクリーンは、親画面６０１と子画面７０２、７０３、７０５と、ＣＣ表示７０５からなっている。
【００７８】
ここで、子画面７０２と子画面７０３に関する番組はサブ情報を有しており、子画面７０４に関する番組はサブ情報を持っていない様子を示している。そして、ＣＣ表示７０５は、子画面７０３に表示した番組に関するサブ情報を表示している。これを明示的に示すために、ここでは子画面７０３の境界線を太枠で示した。
【００７９】
このような仕組みは図１のフレームバッファ１９１にサブ情報を書き込むのと同時に太くした画面の境界線を書き込むことで実現できる。動作フローとしては、図３に示すように図２のフローのＳｔｅｐ１０７０と１０８０の間に、子画面のサブ情報を表示するか否かを判断するＳｔｅｐ１０７２と、ユーザーによる子画面の選択を実行するＳｔｅｐ１０７３を付加する。そして、図１のＳｔｅｐ１０５０による子画面の表示の処理において、選択された子画面の境界線を太枠にする処理を行う。
【００８０】
なお、ここでは、選択された子画面を他の子画面と区別するために境界線を太枠にしたが、画面全体をハイライトに表示するなど、他の方法を用いることもできる。
【００８１】
なお、本実施の形態で本願に関る発明を説明したが、本発明は、上記実施の形態の説明だけに限定されるものではなく、本発明の目的を逸脱しない範囲内で上記実施の形態を変更した態様が実施可能であるのは言うまでも無い。
【産業上の利用可能性】
【００８２】
本発明は多画面表示装置上で、子画面に表示した番組に関るサブ情報の有無を示す情報を子画面内に表示することで、子画面に表示した番組がサブ情報を有しているか否かをユーザーに分かりやすく示すことができるという効果があり、無線や有線はで送られる放送番組を受信するテレビの分野で好適に利用できる。
【図面の簡単な説明】
【００８３】
【図１】本願の多画面テレビジョン受信機の構成を示す図
【図２】本願の多画面テレビジョン受信機の動作フローを示す図
【図３】本願の多画面テレビジョン受信機の動作フローを示す図
【図４】本願の多画面テレビジョン受信機で子画面表示の例を示す図
【図５】本願の多画面テレビジョン受信機で子画面のサブ情報を親画面に表示させた例を示す図
【図６】本願の多画面テレビジョン受信機で子画面のサブ情報と親画面のサブ情報をともに表示させた例を示す図
【図７】本願の多画面テレビジョン受信機でサブ情報がある旨を示す情報の表示例を示す図
【図８】本願の多画面テレビジョン受信機で複数の子画面のうちの１つを選択した場合の表示例を示す図
【図９】従来の多画面テレビジョン受信機の表示例を示す図
【図１０】従来の多画面テレビジョン受信機の表示例を示す図
【符号の説明】
【００８４】
１００    テレビジョン受信機
１０１    リモコン
１０２    ＣＰＵ
１１１    メインチューナー
１１２    フロントエンド
１１３    デマックス
１１４    ＭＰＥＧデコーダー
１１５    メインＤＡＣ
１３１    ＯＳＤプロセッサ
１３２    フレームバッファ
１３３    ＯＳＤＤＡＣ
１９１    フレームバッファ
１９２    フレームミキサー
１５５    サブＤＡＣ
【図１】
2005341106.tif 000003
【図２】
2005341106.tif 000004
【図３】
2005341106.tif 000005
【図４】
2005341106.tif 000006
【図５】
2005341106.tif 000007
【図６】
2005341106.tif 000008
【図７】
2005341106.tif 000009
【図８】
2005341106.tif 000010
【図９】
2005341106.tif 000011
【図１０】
2005341106.tif 000012